(57)【要約】【課題】廃棄時に排泄物や臭気が漏れることがないように丸めておくことができるパンツ型の使い捨ておむつを提供する。【解決手段】パンツ型の使い捨ておむつ１を丸めておくことが可能な止着用テープ１２が、おむつ１の後胴周り域３２における両側縁部１ａ，１ｂに配置され、止着テープ１２各々が、両側縁部１ａ，１ｂと並行して縦方向へ延びる第１部分１２ａと、第１部分１２ａから分岐して延びる第２部分１２ｂとから形成され、第１部分１２ａの縦方向両端部１２ａ１が、胴周り開口６の縁部８と脚周り開口７の縁部９とに固着され、丸められたおむつ１の外周面に係脱可能な係着域が第２部分１２ｂに形成されている。【選択図】図１
2005103320.tif 000002
【特許請求の範囲】
【請求項１】
透液性表面シートと、不透液性裏面シートと、前記表裏面シートの間に介在する吸液性コアとから構成され、縦方向に前胴周り域と、後胴周り域と、前記前後胴周り域の間に位置する股下域とを備え、前記表面シートを内側にして前記前後胴周り域の両側縁部が互いに固着されて胴周り開口と左右一対の脚周り開口とが画成され、それら開口の周り方向へ弾性的な伸縮性を有するおむつの前記裏面シートの外面に前記おむつを丸めておくことが可能な止着用テープが取り付けられたパンツ型の使い捨ておむつにおいて、
前記止着用テープが、前記前胴周り域と前記後胴周り域との少なくとも一方における前記両側縁部に配置され、前記止着用テープ各々が、前記両側縁部と並行して前記縦方向へ延びる第１部分と、前記第１部分の所要の部位から分岐して延びる第２部分とから形成され、前記第１部分の縦方向両端部が、前記胴周り開口の縁部近傍と前記脚周り開口の縁部近傍とに固着され、
前記第２部分が、前記第１部分の所要の部位から前記縦方向と交差する前記横方向へ延び、丸められた前記おむつの外周面に係脱可能な係着域が、前記第１部分の中央部の内面と前記第２部分の内面とに形成され、前記第１部分と前記第２部分との前記内面が、前記両側縁部における前記裏面シートの外面に前記係着域を介して剥離可能に仮着されていることを特徴とする前記おむつ。
【請求項２】
前記第２部分が、前記横方向外方へ伸展可能に折り重ねられ、前記第２部分の折り重ねられた状態が、前記第２部分の内面と該第２部分の外面における所要の部位とに形成された前記係着域によって保持されている請求項１記載のおむつ。
【請求項３】
前記第１部分は、その中央部が横方向外方へ向って凸となるように曲折して延びている請求項１または請求項２に記載のおむつ。
【請求項４】
前記止着用テープが、可撓性を有する非伸縮性のプラスチックシートである請求項１ないし請求項３いずれかに記載のおむつ。
【請求項５】
前記係着域には、粘着剤が塗布されている請求項１ないし請求項４いずれかに記載のおむつ。
【発明の詳細な説明】
【技術分野】
【０００１】
本発明は、使用後に丸めて廃棄するための止着用テープを備えた体液吸収性着用物品に関する。
【背景技術】
【０００２】
特開平９−２５３１２３号公報は、表面シートと裏面シートとの間にコアが介在し、前胴周り域と、後胴周り域と、それら両域間に位置する股下域とを有するおむつの前後胴周り域いずれかの裏面シートの外面におむつを丸めておくことが可能な一条の止着用テープが取り付けられており、止着用テープの長手方向中央部がおむつに固着され、止着用テープの左右側端部が左右各胴周り方向へ伸展可能に折り重ねられた使い捨ておむつを開示している。左右各側部には、折り重ねられた状態を保持するための粘着域が形成されている。
【０００３】
特開平９−２５３１２４号公報は、表面シートと裏面シートとの間にコアが介在し、前胴周り域と、後胴周り域と、それら両域間に位置する股下域とを有するおむつの前後胴周り域いずれかの裏面シートの外面におむつを丸めておくことが可能な止着用テープが取り付けられ、止着用テープが、おむつの胴周り方向へ互いに平行して延び、上下方向へ離間する少なくとも２条の粘着テープによって構成された使い捨ておむつを開示している。
【０００４】
それらおむつの廃棄時では、両側縁部各々から横方向へ丸められたおむつの中央部外周面に止着用テープが巻き付けられ、止着用テープに塗布された粘着剤を介して止着用テープがおむつの外周面に止着される。
【特許文献１】特開平９−２５３１２３号公報
【特許文献２】特開平９−２５３１２４号公報
【発明の開示】
【発明が解決しようとする課題】
【０００５】
それら公報に開示されたおむつは、丸められたおむつの中央部を止着用テープで括ることにより、おむつの丸められた状態を保持することができる。しかし、それらおむつでは、止着用テープを利用しておむつの胴周り開口を塞ぐことはできないので、おむつが横方向へ丸められたとしても、依然として胴周り開口が口を開けたままであり、排泄物や臭気が胴周り開口から漏れてしまうことがある。
【０００６】
本発明の目的は、廃棄時に胴周り開口や脚周り開口から排泄物や臭気が漏れることがないように丸めておくことができるパンツ型の使い捨ておむつを提供することにある。
【課題を解決するための手段】
【０００７】
前述した課題を解決するための本発明は、透液性表面シートと、不透液性裏面シートと、前記表裏面シートの間に介在する吸液性コアとから構成され、縦方向に前胴周り域と、後胴周り域と、前記前後胴周り域の間に位置する股下域とを備え、前記表面シートを内側にして前記前後胴周り域の両側縁部が互いに固着されて胴周り開口と左右一対の脚周り開口とが画成され、それら開口の周り方向へ弾性的な伸縮性を有するおむつの前記裏面シートの外面に前記おむつを丸めておくことが可能な止着用テープが取り付けられたパンツ型の使い捨ておむつを改良することにある。
【０００８】
改良にかかる本発明の特徴は、前記止着用テープが、前記前胴周り域と前記後胴周り域との少なくとも一方における前記両側縁部に配置され、前記止着用テープ各々が、前記両側縁部と並行して前記縦方向へ延びる第１部分と、前記第１部分の所要の部位から分岐して延びる第２部分とから形成され、前記第１部分の縦方向両端部が、前記胴周り開口の縁部近傍と前記脚周り開口の縁部近傍とに固着され、前記第２部分が、前記第１部分の所要の部位から前記縦方向と交差する前記横方向へ延び、丸められた前記おむつの外周面に係脱可能な係着域が、前記第１部分の中央部の内面と前記第２部分の内面とに形成され、前記第１部分と前記第２部分との前記内面が、前記両側縁部における前記裏面シートの外面に前記係着域を介して剥離可能に仮着されていることにある。
【０００９】
本発明の実施態様における一例としては、前記第２部分が、前記横方向外方へ伸展可能に折り重ねられ、前記第２部分の折り重ねられた状態が、前記第２部分の内面と該第２部分の外面における所要の部位とに形成された前記係着域によって保持されている。
【００１０】
本発明の実施態様における他の一例としては、前記第１部分の中央部が横方向外方へ向って凸となるように曲折して延びている。
【００１１】
本発明の実施態様における他の一例としては、前記止着用テープが、可撓性を有する非伸縮性のプラスチックシートである。
【００１２】
本発明の実施の態様の他の一例としては、前記係着域には、粘着剤が塗布されている。
【発明の効果】
【００１３】
本発明に係るパンツ型の使い捨ておむつによれば、おむつの両側縁部と並行して縦方向へ延びる止着用テープの第１部分の縦方向両端部が、胴周り開口と脚周り開口との縁部に伸長状態で取り付けられた胴周り用弾性伸縮性部材と脚周り用弾性伸縮性部材とにつながった状態で、それら開口の縁部に固着されているので、止着用テープ各々をおむつの横方向外方へ引っ張ったときに、弾性部材各々が横方向外方へ伸長する。
【００１４】
止着テープ各々を丸められたおむつの外周面に止着すると、止着テープ各々によっておむつの丸められた状態が保持されるとともに、弾性部材各々の張力によって胴周り開口と脚周り開口との閉塞状態が保持される。丸められたおむつでは、それら開口が口を開けることはなく、排泄物や臭気がそれら開口から漏れてしまうことがない。
【００１５】
止着用テープが横方向外方へ凸となるように曲折して延びているおむつでは、止着用テープが直状に延びる場合と比較し、おむつの外周面に対する係着力を向上させることができ、おむつの外周面に止着した止着テープが不用意に剥がれてしまうことを防ぐことができる。
【００１６】
第２部分が第１部分の中央部から横方向外方へ延び、かつ、第２部分が横方向外方へ伸展可能なように折り重ねられているおむつでは、第２部分がおむつの横方向外方へ長く延出することがないので、止着用シートをおむつの両側縁寄りに取り付けることができるとともに、第２部分が邪魔になることがない。
【発明を実施するための最良の形態】
【００１７】
添付の図面を参照して、本発明に係るパンツ型の使い捨ておむつの詳細を説明すると、以下のとおりである。
【００１８】
図１，２は、後胴周り域３２の側から示すパンツ型の使い捨ておむつ１の部分破断斜視図と、図１のＡ−Ａ線断面図である。図２では、一方の止着テープ１２が剥離シート１５から剥離された状態を仮想線で示している。図３は、図１のＢ−Ｂ線断面図である。おむつ１は、透液性表面シート２と、不透液性裏面シート３と、表面シート２と裏面シート３との間に介在し、表面全域が透水性のティッシュペーパー５に被覆、接合された吸液性コア４とを主要な構成部材とする。ティッシュペーパー５は、表面シート２と裏面シート３との少なくとも一方の内面に接合されている。
【００１９】
おむつ１は、縦方向に前胴周り域３０と、後胴周り域３２と、前後胴周り域３０，３２の間に位置する股下域３１とを有する。おむつ１では、前後胴周り域３０，３２において縦方向へ延びる両側縁部１ａ，１ｂが合掌状に重なり合い、容易に剥離することがないように固着、一体化されて胴周り開口６と左右一対の脚周り開口７とが画成されている。
【００２０】
胴周り開口６の縁部８全周には、複数条の胴周り用弾性伸縮性部材１０が表面シート２と裏面シート３との間に介在し、表面シート２と裏面シート３との少なくとも一方の内面に伸長状態で取り付けられている。脚周り開口７の縁部９全周には、複数条の脚周り用弾性伸縮性部材１１が表面シート２と裏面シート３との間に介在し、表面シート２と裏面シート３との少なくとも一方の内面に伸長状態で取り付けられている。おむつ１では、胴周り開口６と脚周り開口７との縁部８，９がそれら開口６，７の周り方向へ弾性的な伸縮性を有する。図１では、弾性部材１０，１１各々の伸長状態が解除され、胴周り開口６と脚周り開口７との縁部８，９に沿ってギャザーが形成されている。
【００２１】
後胴周り域３２の両側縁部１ａ，１ｂにおける裏面シート３の外面には、おむつ１の丸められた状態を保持するための一対の止着用テープ１２が配置されている。止着用テープ１２各々は、可撓性を有する非伸縮性のプラスチックシートであり、おむつ１の両側縁部１ａ，１ｂに並行して縦方向へ延びる第１部分１２ａと、第１部分１２ａから分岐して延びる第２部分１２ｂとから形成されている。
【００２２】
第１部分１２ａは、縦方向両端部１２ａ２と中央部１２ａ１とを有し、中央部１２ａ１がおむつ１の横方向外方へ向かって凸となるように曲折して延びている。第１部分１２ａの縦方向両端部１２ａ２は、胴周り開口６と脚周り開口７との縁部８，９に取り付けられた弾性部材１０，１１各々につながり、容易に剥離することがないように裏面シート３の外面に接着剤１４を介して固着されている。
【００２３】
第２部分１２ｂは、第１部分１２ａの中央部１２ａ１からおむつ１の横方向外方へ向って延びている。第１部分１２ｂの中央部１２ａ１の内面と第２部分１２ｂの内面とには粘着剤１９が塗布されている。裏面シート３の外面には、第１部分１２ｂの中央部１２ａ１と第２部分１２ｂとを仮着しておくことが可能なプラスチック製の剥離シート２０が接着剤２１を介して固着され、第１部分１２ｂの中央部１２ａ１の内面と第２部分１２ｂの内面とが剥離シート２０に粘着剤１９を介して剥離可能に仮着されている。第２部分１２ｂのその延びた先端には、粘着剤が塗布されていない摘持部１３が形成されている。
【００２４】
図４は、廃棄するために丸められた図１のおむつ１の斜視図である。おむつ１は、股下域３１から胴周り開口６へ向かって、胴周り開口６が外側となるように縦方向へ丸められている。
【００２５】
丸められたおむつ１の外周面には、おむつ１の横方向外方へ延びた第１部分１２ａと第２部分１２ｂとが捲き付けられ、第１部分１２ｂの中央部１２ａ１の内面と第２部分１２ｂの内面とが粘着剤１９を介して裏面シート３の外面に止着されている。
【００２６】
丸められたおむつ１は、弾性部材１０，１１各々の張力によって胴周り開口６と脚周り開口７との閉塞状態が保持され、それら開口６，７が口を開けることはないので、排泄物や臭気がそれら開口６，７から漏れてしまうことがない。
【００２７】
図５，６は、他の実施の形態の後胴周り域の側から示すおむつ１の部分破断斜視図と、図５のＣ−Ｃ線断面図とであり、図７は、図５のＤ−Ｄ線断面図である。図５では、一方の止着テープ１２の第２部分１２ｂを横方向外方へ伸展させた状態を仮想線で示す。おむつ１は、透液性表面シート２と不透液性裏面シート３との間に、ティッシュペーパー５に被覆、接合された吸液性コア４が介在し、前後胴周り域３０，３２の両側縁部１ａ，１ｂが合掌状に重なり合い、容易に剥離することがないように一体化されて胴周り開口６と左右一対の脚周り開口７とが形成されている。
【００２８】
後胴周り域３２における胴周り開口６の縁部８には、複数条の胴周り用弾性部材１０が伸長状態で取り付けられ、脚周り開口部７の縁部９全周には、複数条の脚周り用弾性部材１１が伸長状態で取り付けられている。
【００２９】
後胴周り域３２の両側縁部１ａ，１ｂにおける裏面シート３の外面には、一対の止着用テープ１２が配置されている。止着用テープ１２各々は、可撓性を有する非伸縮性のプラスチックシートであり、おむつ１の両側縁部１ａ，１ｂに並行して縦方向へ延びる第１部分１２ａと、第１部分１２ａから分岐して延びる第２部分１２ｂとから形成されている。
【００３０】
第１部分１２ａは、縦方向両端部１２ａ２と中央部１２ａ１とを有する。第１部分１２ａの縦方向両端部１２ａ２は、胴周り開口６と脚周り開口７との縁部８，９に取り付けられた弾性部材１０，１１各々につながり、容易に剥離することがないように裏面シート３の外面に接着剤１４を介して固着されている。
【００３１】
第２部分１２ｂは、図５に仮想線で示すように、第１部分１２ａの中央部１２ａ１からおむつ１の横方向外方へ向って延びている。第２部分１２ｂは、横方向外方へ伸展可能なように２つに折り重ねられている。第２部分１２ｂには、その内面と外面の所要の部位とに粘着剤１９が塗布され、折り重ねられた状態が粘着剤１９によって保持されている。第２部分１２ｂは、折り重ねられたときに粘着剤１９と対向する面が剥離容易に表面処理されている。第２部分１２ｂのその延びた先端には、粘着剤が塗布されていない摘持部１３が形成されている。
【００３２】
止着用テープ１２は、第２部分１２ｂの摘持部１３を指で摘持し、第２部分１２ｂをおむつ１の横方向外方へ引っ張ると、第２部分１２ｂがおむつ１の横方向外方へ伸展する。
【００３３】
図８は、廃棄するために丸められた図５のおむつ１の斜視図である。おむつ１は、股下域３１から胴周り開口６へ向かって、胴周り開口６が外側となるように縦方向へ丸められている。
【００３４】
丸められたおむつ１の外周面には、おむつ１の横方向外方へ延びた第１部分１２ａと第２部分１２ｂとが捲き付けられ、第２部分１２ｂの内面が粘着剤１９を介して裏面シート３の外面に止着されている。
【００３５】
丸められたおむつ１は、弾性部材１０，１１各々の張力によって胴周り開口６と脚周り開口７との閉塞状態が保持され、それら開口６，７が口を開けることはないので、排泄物や臭気がそれら開口６，７から漏れてしまうことがない。おむつ１は、第２部分１２ｂが２つに折り重ねられているので、第２部分１２ｂがおむつ１の横方向外方へ長く延出することがない。
【００３６】
表面シート２には、不織布や開孔プラスチックフィルム等の透液性のシート、好ましくは透液性であって親水性のシートが使用される。裏面シート３には、疎水性不織布、不透液性のプラスチックフィルムまたは疎水性不織布とプラスチックフィルムとのラミネートシート、好ましくは通気不透液性のシートが使用される。また、裏面シート３としては、高い耐水性を有するメルトブローン不織布の両シート面を、高い強度を有しかつ柔軟性に富んだスパンボンド不織布のシート面で挟んだ複合不織布（ＳＭＳ不織布）を使用することもできる。
【００３７】
不織布としては、スパンレース、ニードルパンチ、メルトブローン、サーマルボンド、スパンポンド、ケミカルボンド等の不織布を使用することができる。不織布の構成繊維としては、ポリオレフィン系、ポリエステル系、ポリアミド系、の各繊維、ポリエチレン／ポリプロピレンまたはポリエステルの複合繊維等を使用することができる。
【００３８】
コア４は、フラッフパルプと高吸収性ポリマー粒子との混合物であり、所要の厚みに圧縮されている。コア４の接合、シート２，３，１５，２０やテープ１２の固着、弾性部材１０，１１の取り付けには、ホットメルト接着剤等の接着剤や粘着剤、または、熱溶着の技術を利用することができる。
【００３９】
止着用テープ１２としては、非伸縮性のプラスチックシートの他に、弾性的な伸長性を有する合成ゴムや天然ゴム等のエラストマー、または、それらエラストマーを伸長状態で不織布に固着したものを使用することもできる。伸長性を有する止着用テープ１２を使用した場合は、胴周り用弾性部材１０および脚周り用弾性部材１１の張力と止着用テープ１２の張力とによって胴周り開口６と脚周り開口７との閉塞状態の保持を向上させることができる。
【００４０】
止着用テープ１２各々は、前胴周り域３０の両側縁部１ａ，１ｂに取り付けられていてもよく、一方の止着用テープ１２が後胴周り域３２の一方の側縁部１ａに取り付けられ、他方の止着用テープ１２が前胴周り域３０の他方の側縁部１ｂに取り付けられていてもよい。
【００４１】
第１部分１２ａの縦方向両端部１２ａ２は、裏面シート３とティッシュペーパー５との間に介在させた状態で、容易に剥離することがないように、裏面シート３とティッシュペーパー５と少なくとも一方に固着されていてもよい。
【００４２】
胴周り用弾性部材１０は、前胴周り域３０と後胴周り域３２との少なくとも一方における胴周り開口６の縁部８に沿って伸長状態で取り付けられていればよいが、止着用テープ１２は、胴周り用弾性部材１０が取り付けられている胴周り域の両側縁部１ａ，１ｂに配置されることが必要である。
【００４３】
裏面シート３が不織布で形成されている場合は、止着用テープ１２に粘着剤を塗布することの他に、フック部材を取り付けることもできる。フック部材が不織布の繊維に引っ掛かることで止着テープ１２が裏面シート３の外面に係着される。フック部材を使用した場合では、剥離シートとしてループ部材を使用することができる。
【図面の簡単な説明】
【００４４】
【図１】後胴周り域の側から示すパンツ型の使い捨ておむつの部分破断斜視図。
【図２】図１のＡ−Ａ線断面図。
【図３】図１のＢ−Ｂ線断面図。
【図４】廃棄するために丸められた図１のおむつの斜視図。
【図５】他の実施形態について後胴周り域の側から示すパンツ型の使い捨ておむつの部分破断斜視図。
【図６】図５のＣ−Ｃ線断面図。
【図７】図５のＤ−Ｄ線断面図。
【図８】廃棄するために丸められた図５のおむつの斜視図。
【符号の説明】
【００４５】
１    パンツ型の使い捨ておむつ
１ａ，１ｂ    両側縁部
２    透液性表面シート
３    不透液性裏面シート
５    吸液性コア
６    胴周り開口
７    脚周り開口
８    縁部
９    縁部
１０    胴周り用弾性伸縮性部材
１１    脚周り用弾性伸縮性部材
１２    止着用テープ
１２ａ  第１部分
１２ａ１    中央部
１２ａ２    縦方向両端部
１２ｂ    第２部分
３０    前胴周り域
３１    股下域
３２    後胴周り域
【図１】
2005103320.tif 000003
【図２】
2005103320.tif 000004
【図３】
2005103320.tif 000005
【図４】
2005103320.tif 000006
【図５】
2005103320.tif 000007
【図６】
2005103320.tif 000008
【図７】
2005103320.tif 000009
【図８】
2005103320.tif 000010